(57)【特許請求の範囲】
【請求項１】
シート体を巻取り軸に巻回して巻き取る巻取り装置を保持して取り付け部に取り付けられる巻取り装置の保持具であって、
前記巻取り装置側の前記巻取り軸の一端が挿入される開口部を有し、前記開口部内に、前記巻取り軸の一端を支持する軸支部が設けられたケーシングと、
前記取り付け部に係合される係合部を有し、前記係合部を前記取り付け部に係合させる係合位置と、前記係合部と前記取り付け部との係合状態を解除させる解除位置とに、前記巻取り軸の軸方向にスライド可能に前記ケーシングに設けられた一組のスライド部材と、
略Ｕ字状に折曲された折曲部を有する１本の弾性線材からなり、両端が前記一組の各スライド部材にそれぞれ係合されるとともに、前記折曲部が前記ケーシング側に係合されて、前記各スライド部材の前記係合部を前記係合位置に移動させるように付勢する付勢部材と、
前記ケーシングに移動可能に設けられて、前記各スライド部材の前記係合部を前記解除位置に移動させる押込み操作釦とを備え、
前記各スライド部材は、前記ケーシングに互いに間隙をあけてそれぞれ配設されている巻取り装置の保持具。
【請求項２】
更に他のシート体を巻回して巻き取る他の巻取り軸を備える前記巻取り装置を保持する巻取り装置の保持具であって、
前記ケーシングの前記開口部内には、前記巻取り装置側の前記他の巻取り軸の一端を支持する他の軸支部が設けられている請求項１に記載の巻取り装置の保持具。
【請求項３】
前記付勢部材の前記折曲部は、前記巻取り軸の一端と、前記他の巻取り軸の一端との間に位置されて、前記ケーシングに係合されている請求項２に記載の巻取り装置の保持具。
【発明の詳細な説明】
【０００１】
【発明の属する技術分野】
本発明は、例えば、自動車等の車輌の室内に配設されて、外部から室内に射し込む日光を遮蔽するサンシェードや、室内の収納部を覆うトノカバー等のシート体を引き出し可能に巻き取る巻取り装置を保持するための巻取り装置の保持具に関する。
【０００２】
【従来の技術】
従来、例えば、自動車等の車輌の室内に配設されて、外部から室内に射し込む日光を遮蔽するサンシェードや、室内の収納部を覆うトノカバー等のシート体を引き出し可能に巻き取るための巻取り装置が知られている。この種の巻取り装置は、両側端が一組の巻取り装置の保持具にそれぞれ保持されて、これら巻取り装置の保持具を介して、室内に設けられた取り付け部に取り付けられている。
【０００３】
従来の巻取り装置は、シート体と、このシート体が巻回されて巻き取られる巻取り軸と、シート体を巻き取る方向に巻取り軸を回転させるように付勢する付勢部材と、巻取り軸に巻き取られたシート体が収納される収納ケースとを備えている。
【０００４】
巻取り軸は、両端が収納ケースから外方に突出されており、これら両端が巻取り装置の保持具に保持されている。収納ケースには、シート体が引き出される引き出し口が設けられている。
【０００５】
以上のように構成された従来の巻取り装置は、シート体を使用するとき、シート体の一端が付勢部材の付勢力に抗して引き出し口から引き出し操作されて、引き出されたシート体によって所望の場所が覆われる。また、この巻取り装置は、シート体を使用しないとき、付勢部材の付勢力によって巻取り軸がシート体の巻取り方向に回転されることにより、シート体が巻取り軸に巻回されて巻き取られ、収納ケース内に収納される。
【０００６】
従来の巻取り装置の保持具は、巻取り装置側の巻取り軸の両端側にそれぞれ一組配設される。例えばドイツ特許発明明細書ＤＥ１９７３９６２５Ｃ１に開示されている従来の巻取り装置の保持具は、図７に示すように、巻取り装置側の巻取り軸の一端を支持する軸支部１０８を有し、巻取り装置側の収納ケースの一端側に組み付けられるケーシング１０５と、取り付け部に係合されるスライド部材１０６と、このスライド部材１０６をスライド操作するための押込み操作釦１０７とを備えている。
【０００７】
ケーシング１０５には、対向する側面部の内面に、スライド部材１０６を移動可能に支持する一対の直線状のガイド部１１０がそれぞれ形成されている。スライド部材１０６には、比較的剛性が高い材料によって形成されており、ケーシング１０５の対向する側面部に対応する両端に、ケーシング１０５のガイド部１１０に移動可能に支持されるガイド部１１２と、取り付け部に係合される係合部（図示せず）とがそれぞれ設けられている。スライド部材１０６の各ガイド部１１２は、円弧状の連結部１１５を介して連結されている。また、スライド部材１０６は、ケーシング１０５内に設けられた付勢バネ１１６によって、各係合部を取り付け部に係合させる方向に付勢されている。
【０００８】
以上のように構成された従来の巻取り装置の保持具は、ケーシング１０５に対してスライド部材１０６が移動することにより、スライド部材１０６の各係合部が取り付け部に係合されて、取り付け部に取り付けられる。また、この従来の巻取り装置の保持具は、付勢バネ１１６の付勢力に抗して、押込み操作釦１０７を押し込み操作することにより、スライド部材１０６の各係合部と取り付け部との係合状態が解除されて、取り付け部から取り外される。
【０００９】
また、他の従来の巻取り装置の保持具は、ドイツ特許発明明細書ＤＥ１９７３６１７０Ｃ１に開示されているように、２つの軸支部材が巻取り軸の軸方向に対して互いに相対移動可能に設けられており、操作レバーを操作することにより、片手で軸支部材によるロック状態を解除して、ケーシングに対して取り外すことが可能に構成されている。
【００１０】
また、他の従来の巻取り装置の保持具には、ドイツ特許発明明細書ＤＥ１９６２１００９Ｃ１に開示されているように、巻取り装置側の収納ケースに対してケーシングが外方側に付勢されて係合されている。この従来の巻取り装置の保持具は、ケーシングに設けられた操作部材を上方に引き上げるように操作することにより、ロック状態が解除されて、ケーシングを嵌め込むことが可能に構成されている。
【００１１】
また、従来の巻取り装置の保持具は、ドイツ特許出願公開明細書ＤＥ４４４１２６０Ａ１に開示されているように、取り外し可能に設けられたトノカバーおよびロック用のスライド部材がケーシングに押し込まれることにより、巻取り軸に連結されたベアリングピンが回転可能になり、引き込むように操作することによって、回転が固定されるように構成されている。
【００１２】
また、従来の巻取り装置の保持具は、ドイツ特許出願公開明細書ＤＥ４４０５２８０Ａ１に開示されているように、軸支部材に付勢バネの付勢力によって付勢されたロック用のスライド部材を備えており、軸支部を有する軸支部材をケーシングに取り付ける際に自動的に引き込まれることにより、取り付け部の間の幅（車体幅）に応じて変化させることが可能に構成されている。また、この従来の巻取り装置の保持具は、操作把手によってスライド部材が移動操作可能に構成されている。
【００１３】
また、従来の巻取り装置には、２つの主シート体および副シート体が収納されて引き出し可能に構成された巻取り装置がある。この巻取り装置は、主シート体および副シート体がそれぞれ巻回されて巻き取られる主巻取り軸および副巻取り軸とを備えている。そして、この従来の巻取り装置は、主シート体および副シート体をそれぞれ独立的に引き出し動作および巻取り動作させることが可能とされている。
【００１４】
【発明が解決しようとする課題】
ところで、従来の巻取り装置の保持具は、ケーシングに対してスライド部材が摺動する際、スライド部材の各ガイド部がケーシング側のガイド部に対してそれぞれ摺動されるとともに、スライド部材とケーシングとが摺動抵抗を生じる部位が多数箇所にあった。このため、従来の巻取り装置の保持具は、スライド部材をスライド動作させるために、比較的大きな操作力を要するという不都合があった。
【００１５】
また、従来の巻取り装置の保持具は、スライド部材の各ガイド部と、ケーシングの各ガイド部との間に寸法誤差が生じた場合、寸法誤差を修正することが困難であり、ケーシングに対してスライド部材をスライド操作する際に非常に大きな摺動抵抗が発生して、スライド部材の操作性を著しく損なうという問題があった。
【００１６】
また、従来の巻取り装置の保持具は、ケーシングに、複数の巻取り軸を支持する複数の軸支部がそれぞれ設けられる構成とされた場合に、複数の軸支部によってケーシング内のスペースが占有されてしまっていた。このため、この種の従来の巻取り装置の保持具は、上述したスライド部材や、取り付け部に取り付けられた巻取り装置の保持具を取り付け部から浮揚させて離間させる方向に付勢する浮揚手段等を備えるためのスペースを確保することが困難であった。したがって、この種の従来の巻取り装置の保持具は、取り付け部に対して容易に着脱することができないという不都合があった。
【００１７】
そこで、本発明は、スライド部材とケーシングとの間に寸法誤差を生じた場合に大きな摺動抵抗が生じることを抑制して、スライド部材をスライド操作するために要する操作力を低減して、ケーシングに対してスライド部材を円滑に摺動させて、スライド部材の操作性を向上することができる巻取り装置の保持具を提供することを目的とする。
【００１８】
【課題を解決するための手段】
上述した目的を達成するため、本発明に係る巻取り装置の保持具は、シート体を巻取り軸に巻回して巻き取る巻取り装置を保持して取り付け部に取り付けられる巻取り装置の保持具である。本発明に係る巻取り装置の保持具は、巻取り装置側の巻取り軸の一端が挿入される開口部を有し、この開口部内に、巻取り軸の一端を支持する軸支部が設けられたケーシングを備える。また、この巻取り装置の保持具は、取り付け部に係合される係合部を有し、この係合部を取り付け部に係合させる係合位置と、係合部と取り付け部との係合状態を解除させる解除位置とに、巻取り軸の軸方向にスライド可能にケーシングに設けられた一組のスライド部材を備える。また、この巻取り装置の保持具は、略Ｕ字状に折曲された折曲部を有する１本の弾性線材からなり、両端が一組の各スライド部材にそれぞれ係合されるとともに、折曲部がケーシング側に係合されて、各スライド部材の係合部を係合位置に移動させるように付勢する付勢部材と、ケーシングに移動可能に設けられて各スライド部材の係合部を解除位置に移動させる押込み操作釦とを備える。そして、各スライド部材は、ケーシング内に互いに間隙をあけてそれぞれ配設される。
【００１９】
以上のように構成した本発明に係る巻取り装置の保持具は、巻取り装置の巻取り軸の両端にそれぞれ一組配設されて、巻取り装置を保持する。本発明に係る巻取り装置の保持具によれば、付勢部材の付勢力によって各スライド部材の係合部が係合位置に移動されて、係合部が取り付け部に係合されることによって、軸支部に巻取り軸の一端を支持するケーシングが、取り付け部に取り付けられる。また、本発明に係る巻取り装置の保持具は、付勢部材の付勢力に抗して押込み操作部材が押し込み操作されることにより、スライド部材が解除位置に移動されて、係合部と取り付け部との係合状態が解除されて、軸支部に巻取り軸の一端を支持するケーシングが、取り付け部から取り外される。
【００２０】
そして、本発明に係る巻取り装置の保持具によれば、各スライド部材が互いに間隔をあけてそれぞれ配設されたことにより、ケーシングにスライド可能に設けられる各スライド部材等の外形寸法やケーシングに寸法誤差が生じた場合も、各スライド部材とケーシングとの寸法誤差によって摺動抵抗が大きくなることが抑制される。また、本発明に係る巻取り装置の保持具によれば、スライド部材が従来に比して小型化されるため、ケーシングと各スライド部材の摺動面積が少なくなり、摺動抵抗が低減されて、ケーシングに対してスライド部材が円滑にスライドされる。したがって、各スライド部材は、スライド操作に要する操作力の低減が図られる。
【００２１】
また、本発明に係る巻取り装置の保持具は、ケーシングに一組のスライド部材が設けられるとともに、付勢部材が、略Ｕ字状に折曲された折曲部を有する１本の弾性線材からなり、両端が一組の各スライド部材にそれぞれ係合されるとともに折曲部がケーシング側に係合されることにより、この巻取り装置の保持具は、１本の線材からなる付勢部材によって各スライド部材がそれぞれ付勢されるため、製造コストの低減が図られる。また、この巻取り装置の保持具によれば、付勢部材によって、各スライド部材がほぼ均一に付勢されるため、各スライド部材の摺動抵抗が抑制される。さらに、この巻取り装置の保持具によれば、付勢部材が１本の弾性線材によって形成されることにより、ケーシング内の軸支部から退避させた位置に付勢部材を容易に配設することが可能とされる。
【００２３】
また、本発明に係る巻取り装置の保持具によれば、ケーシングの開口部内に、巻取り装置側の他の巻取り軸の一端を支持する他の軸支部が設けられることが好ましく、他の軸支部によって、２本の巻取り軸を互いに逆方向に回転させるように巻取り装置側によって付勢させて、それぞれ支持することが可能とされる。
【００２４】
【発明の実施の形態】
以下、本発明の具体的な実施形態について、シート体を巻き取る巻取り装置を保持するための巻取り装置の保持具を図面を参照して説明する。
【００２５】
なお、本実施形態において、巻取り装置は、例えば乗用車等の車輌の室内に外部から射し込む日光を遮蔽するサンシェードや、室内の収納部を覆うトノカバー等のシート体を巻き取るために適用される。このため、本実施形態に係る巻取り装置の保持具は、例えば乗用車等の車輌の室内に設けられた取り付け部に対して着脱可能に取り付けられて使用される。また、巻取り装置の保持具は、巻取り装置の巻取り軸の両端部をそれぞれ保持するため、巻取り装置を間に挟んで対向する位置に一組配設される。
【００２６】
まず、本実施形態に係る巻取り装置の保持具によって保持される巻取り装置について、図面を参照して簡単に説明する。
【００２７】
図１に示すように、巻取り装置１は、主シート体１１および副シート体１２ａ，１２ｂと、これら主シート体１１および副シート体１２ａ，１２ｂが巻回されて巻き取られる主巻取り軸１３および副巻取り軸１４ａ，１４ｂと、主シート体１１および副シート体１２ａ，１２ｂを巻き取る方向に主巻取り軸１３および副巻取り軸１４ａ，１４ｂを回転させるようにそれぞれ付勢するコイルバネ（図示せず）と、各巻取り軸１３，１４ａ，１４ｂに巻き取られた各シート体１１，１２ａ，１２ｂをそれぞれ収納する収納ケース１５とを備えている。
【００２８】
主シート体１１および副シート体１２ａ，１２ｂとしては、トノカバーがそれぞれ適用されている。これら主シート体１１および副シート体１２ａ，１２ｂには、引き出される一端側に、乗用車の室内に掛止される掛止部材（図示せず）がそれぞれ設けられている。主巻取り軸１３と副巻取り軸１４ａ，１４ｂは、各軸方向が互いに平行とされて、収納ケース１５内にそれぞれ配設されている。副巻取り軸１４ａ，１４ｂは、互いに軸線を一致させて設けられており、隣接する各端部が、収納ケース１５内に設けられた軸支部（図示せず）に支持されている。
【００２９】
なお、主巻取り軸１３および副巻取り軸１４ａ，１４ｂは、外周部に主シート体１１および副シート体１２ａ，１２ｂが巻回されてそれぞれ巻き取られる各筒状体（図示せず）内に芯部が挿通されて、この筒状体に対して回転可能に設けられている。また、主巻取り軸１３および副巻取り軸１４ａ，１４ｂは、各芯部と各筒状体がコイルバネを介して連結されており、このコイルバネの弾性力によって、主シート体１１および副シート体１２ａ，１２ｂを巻き取る方向に筒状体を回転させるように付勢されている。すなわち、主巻取り軸１３および副巻取り軸１４ａ，１４ｂは、筒状体に巻回された主シート体１１および副シート体１２ａ，１２ｂが引き出されたとき、コイルバネが引き伸ばされることにより、主シート体１１および副シート体１２ａ，１２ｂを巻き取る方向に筒状体が回転されるように付勢される。
【００３０】
収納ケース１５は、図３に示すように、互いに組み合わされる一組の上ケース１６および下ケース１７とから構成されている。これら各上ケース１６および下ケース１７は、例えばアルミニウムを用いた押し出し加工によって成形されている。収納ケース１５には、図１に示すように、各巻取り軸１３，１４ａ，１４ｂにそれぞれ巻き取られた各シート体１１，１２ａ，１２ｂがそれぞれ収納される主シート収納部および副シート収納部が隔壁１８を介してそれぞれ独立して設けられている。また、収納ケース１５の各巻取り軸１３，１４ａ，１４ｂの軸方向に平行な両側面部には、主シート収納部および副シート収納部に対応する位置に、主シート体１１および副シート体１２ａ，１２ｂがそれぞれ引き出されるシート引き出し口１９がそれぞれ設けられている。
【００３１】
以上のように構成された巻取り装置１は、コイルバネによる付勢力に抗して、主巻取り軸１３および副巻取り軸１４ａ，１４ｂに巻回された主シート体１１および副シート体１２ａ，１２ｂが、シート引き出し口１９からそれぞれ引き出し操作されて、例えば、主シート体１１が乗用車の室内後部に設けられた収納部を覆うように後部ハッチの近傍に掛止されて、副シート体１２ａ，１２ｂが後部座席にそれぞれ掛止される。
【００３２】
また、巻取り装置１は、主シート体１１および副シート体１２ａ，１２ｂを使用しないとき、コイルバネの付勢力によって、主シート体１１および副シート体１２ａ，１２ｂが主巻取り軸１３および副巻取り軸１４ａ，１４ｂにそれぞれ巻き取られて、各シート体１１，１２ａ，１２ｂが各シート収納部内にそれぞれ収納される。そして、巻取り装置１は、主シート体１１および副シート体１２ａ，１２ｂがそれぞれ独立的に引き出し動作および巻取り動作を行うことが可能とされている。
【００３３】
つぎに、上述した巻取り装置１を保持する巻取り装置の保持具を図面を参照して説明する。
【００３４】
図１に示すように、一組の巻取り装置の保持具２，３は、巻取り装置１の主巻取り軸１３の両端部および副巻取り軸１４ａ，１４ｂの各端部にそれぞれ組み付けられて、巻取り装置１を保持した状態で取り付け部４に着脱可能に取り付けられる。
【００３５】
これら一組の巻取り装置の保持具２，３は、巻取り装置１に対して各々ほぼ対称な形状、構成になされている。したがって、以下、一方の巻取り装置の保持具２について説明するが、他方の巻取り装置３の保持具がほぼ対称な構成とされているため、他方の巻取り装置の保持具３の説明を省略する。
【００３６】
この巻取り装置の保持具２は、図１、図２および図３に示すように、巻取り装置１側の主巻取り軸１３の一端を支持する主軸支部２６が設けられたケーシング２１と、このケーシング２１に着脱可能に設けられて副巻取り軸１４の一端を支持する副軸支部２７を有する軸支部材２２と、取り付け部４にそれぞれ係合される一組のスライド部材２３，２４と、これらスライド部材２３，２４を取り付け部４に係合させる方向に付勢する付勢バネ２５と、スライド部材２３，２４をスライド操作するための押込み操作釦２８と、取り付け部４からケーシング２１を浮揚させて離間させる方向に付勢する浮揚部材２９とを備えている。
【００３７】
本実施形態に係る巻取り装置の保持具２において、付勢バネ２５を除くケーシング２１、軸支部材２２およびスライド部材２３，２４等の他の部材は、例えばポリアセタール、ポリアミド等の樹脂材料によってそれぞれ形成されている。
【００３８】
図２および図３に示すように、ケーシング２１は、巻取り装置１の収納ケース１５の一端に突き合わされる開口部３１を有する略箱状に形成されている。開口部３１には、収納ケース１５の一端に係合される複数の係合壁３３が、開口縁に沿ってそれぞれ一体に突出して形成されている。
【００３９】
ケーシング２１の内周部には、主巻取り軸１３を支持する主軸支部２６が一体に突出されて形成されている。この主軸支部２６の端面には、主巻取り軸１３の一端が挿入されて係合される係合溝３４が形成されている。図示しないが、主巻取り軸１３は、一端に、一方の巻取り装置の保持具２に係合される略扁平形をなす係合部が設けられており、この係合部が主軸支部２６の係合溝３４に係合されることにより、軸回り方向の回転が規制されて固定された状態で主軸支部２６に支持される。また、他方の巻取り装置３側のケーシング２１には、主巻取り軸１３の他端を支持する軸穴（図示せず）を有する主軸支部２６が形成されており、この主軸支部２６に主巻取り軸１３の他端が回転可能に支持されている。
【００４０】
また、各巻取り軸１３，１４ａの軸方向に平行なケーシング２１の両側面部には、図３及び図４に示すように、内周面の対向する位置に、一組のスライド部材２３，２４が矢印ａ1方向およびａ2方向にスライド可能に係合されるガイド溝３５が、各巻取り軸１３，１４ａの軸方向に略平行にそれぞれ形成されている。
【００４１】
また、ケーシング２１には、図１に示すように、各巻取り軸１３，１４ａの軸方向に直交する主面部に、各スライド部材２３，２４の後述する係合爪５１が進退可能に挿通される挿通口３６がそれぞれ形成されている。
【００４２】
また、ケーシング２１の上面部には、押込み操作釦２８が矢印ｂ1方向およびｂ2方向に移動可能に配設される開口部３８が形成されている。また、ケーシング２１には、巻取り装置１側の各巻取り軸１３，１４ａの軸方向に略直交する主面部に、軸支部材２２が着脱可能に嵌合されて取り付けられる嵌合用開口３９が設けられている。また、ケーシング２１の底面部には、浮揚部材２９が矢印ｂ1方向およびｂ2方向に移動可能に配設される凹部４１が設けられている。
【００４３】
軸支部材２２には、副巻取り軸１４ａを支持する副軸支部２７が一体に形成されており、この副軸支部２７の端面に、副巻取り軸１４ａの一端が挿入されて係合される係合溝４２が形成されている。また、この軸支部材２２には、ケーシング２１の嵌合用開口３９の縁部に係合される係合爪４４を有する係合片４５が弾性変位可能に一体に形成されている。
【００４４】
図示しないが、各副巻取り軸１４ａ，１４ｂは、上述した主巻取り軸１３と同様に、各副巻取り軸１４ａ，１４ｂは、一端に、各巻取り装置の保持具２，３に係合される略扁平形をなす係合部が設けられており、この係合部が副軸支部２７の係合溝４２に係合されることにより、軸回り方向の回転が規制されて固定された状態で副軸支部２７に支持される。また、各副巻取り軸１４ａ，１４ｂの他端は、収納ケース１５内に設けられた軸支部に回転可能に支持される。
【００４５】
なお、他方の巻取り装置の保持具３には、ケーシング２１に、副軸支部２７を有する軸支部材２２が一体に形成されている。また、他方の巻取り装置の保持具３には、必要に応じて、上述した一方の巻取り装置の保持具２と同様に、副軸支部２７を有する軸支部材２２が着脱可能に設けられる構成とされてもよいことは勿論である。
【００４６】
一組のスライド部材２３，２４は、それぞれ対称形状に形成されており、ケーシング２１の挿通口３６から突出されて取り付け部４に係合される係合爪５１と、ケーシング２１のガイド溝３５に沿ってスライド可能に係合されるガイド突起５２と、付勢バネ２５の一端が掛止される掛止片５５と、押込み操作釦２８に当接されて作動される作動片５６とがそれぞれ一体に形成されている。係合爪５１の先端部には、ケーシング２１の底面部に対向する対向面側に、先端に向かって次第に厚みを小さくする傾斜面が形成されており、取り付け部４の側面に摺接されることにより、係合爪５１がケーシング２１の内方に容易に移動することが可能とされている。
【００４７】
スライド部材２３，２４は、ガイド突起５２がガイド溝３５に移動可能に係合されて、係合爪５１の一部がケーシング２１に設けられたガイド凹部５８に移動可能に係合されるとともに、掛止片５５の一端がケーシング２１の底面部の内周面に摺接されることにより、矢印ｂ1方向およびｂ2方向に円滑に移動することが可能とされている。
【００４８】
そして、一組のスライド部材２３，２４は、係合爪５１が挿通口３６から突出可能とされて、ケーシング２１に対してスライド可能に設けられた状態で、図２に示すように、互いに対向する位置に所定の間隙が確保されて離間されている。
【００４９】
作動片５６の一端には、押込み操作釦２８に当接される当接面５９が、スライド部材２３，２４の移動方向である矢印ｂ1方向およびｂ2方向に対して例えば４５度程度傾斜されて形成されている。
【００５０】
付勢バネ２５は、弾性を有する１本の鋼線材からなり、長手方向の中央部が略Ｕ字状に折曲させた折曲部６１が形成されている。付勢バネ２５は、折曲部６１がケーシング２１に設けられた係合溝６３に挿入されて係合されるとともに、両端が一組のスライド部材２３，２４の各掛止片５５にそれぞれ掛止されている。したがって、付勢バネ２５は、弾性力によって、各スライド部材２３，２４の係合爪５１をケーシング２１の挿通口３６から外方にそれぞれ突出させるようにほぼ均一に付勢している。
【００５１】
押込み操作釦２８は、ケーシング２１の上面部に設けられた開口部３８内に、ケーシング２１に対して矢印ｂ1方向およびｂ2方向に移動可能に配設されている。押込み操作釦２８には、一組のスライド部材２３，２４の各当接片５６に当接される当接部６５がそれぞれ一体に形成されている。当接部６５には、スライド部材２３，２４の当接面５９に当接される当接面６６が、スライド部材の当接面にほぼ平行とされ、スライド部材２３，２４の移動方向に対して例えば４５度程度傾斜されて形成されている。
【００５２】
また、押込み操作釦２８は、圧縮コイルバネ６８の一端側が係合される略筒状の係合部６９が一体に形成されており、圧縮コイルバネ６８の付勢力によって矢印ｂ1方向に付勢されている。圧縮コイルバネ６８は、一端が押込み操作釦２８の係合部６９に係合されており、他端がケーシング２１に係合されている。したがって、ケーシング２１に対して矢印ｂ2方向に押込み操作された押込み操作釦２８は、圧縮コイルバネ６８の付勢力によって初期位置に復帰される。
【００５３】
浮揚部材２９は、ケーシング２１の底面部の凹部４１内に、ケーシング２１に対して矢印ｂ1方向およびｂ2方向に移動可能に配設されている。浮揚部材２９は、内周部に圧縮コイルバネ７１の一端側が係合される略筒状の係合部７２が一体に形成されており、圧縮コイルバネ７１の付勢力によって矢印ｂ2方向に付勢されている。圧縮コイルバネ７１は、一端が浮揚部材２９の係合部７２に係合されており、他端がケーシング２１に係合されている。したがって、ケーシング２１は、取り付け部４に取り付けられた際に、浮揚部材２９の付勢力によって、取り付け部４から離間する方向に移動されるため、取り付け部４から浮き上げられる。
【００５４】
上述した巻取り装置の保持具２，３が着脱可能に取り付けられる取り付け部４は、例えば、乗用車の室内の側面部（サイドトリム）に一体に形成されている。図１に示すように、取り付け部４は、ケーシング２１の外形に対応する形状に形成されており、ケーシング２１の外形寸法よりやや大きく形成されている。取り付け部４は、一組のスライド部材２３，２４の各係合爪５１に対応する位置に、各係合爪５１が挿入されて係合される係合凹部７７がそれぞれ設けられている。また、取り付け部４には、巻取り装置の保持具２，３の浮揚部材２９に対応する位置に、浮揚部材２９に当接されてこの浮揚部材２９を矢印ｂ1方向に移動させる作動突部７８が一体に形成されている。
【００５５】
以上のように構成された巻取り装置の保持具２，３について、巻取り装置１に組み付けられる組付け動作を説明する。
【００５６】
巻取り装置の保持具２，３は、副巻取り軸１４ｂ、主巻取り軸１３，副巻取り軸１４ａの順序で、主巻取り軸１３および各副巻取り軸１４ａ，１４ｂを巻き取り方向に回転させる方向に付勢させて巻取り装置１にそれぞれ組み付けられる。
【００５７】
まず、巻取り装置１の副巻取り軸１４ｂを支持する際、巻取り装置の保持具３は、巻取り装置１の収納ケース１５側の軸支部に副巻取り軸１４ｂの一端が回転可能に支持される。収納ケース１５側に一端が回転可能に支持された副巻取り軸１４ｂは、他端が、巻取り装置の保持具３側の副軸支部２６に係合される。
【００５８】
この状態で、巻取り装置の保持具３は、副巻取り軸１４ｂに副シート体１１を巻き取る方向に、巻取り装置１の収納ケース１５に対して回転されることに伴って、副巻取り軸１４ｂの芯部および筒状体が回転されて、副シート体１２ｂの一端側に設けられた掛止部材が、シート引き出し口１９の開口縁に当接されることにより、副巻取り軸１４ｂに副シート体１２ｂが完全に巻き取られる。
【００５９】
そして、副巻取り軸１４ｂに副シート体１２ｂが完全に巻き取られた状態で、巻取り装置の保持具３は、副シート体１２ｂを巻き取る方向に更に数回転程度だけ回転させることによって、副シート体１２ｂが巻き取られた筒状体の回転が規制された状態で、副巻取り軸１４ｂが更に回転される。このため、副巻取り軸１４ｂは、回転が規制された筒状体に対して副巻取り軸１４ｂの芯部が回転されて、コイルバネが引き伸ばされることで、このコイルバネの付勢力によって、副シート体１２ｂが完全に巻き取られた状態で、副シート１２ｂを巻き取る方向に付勢する初期付勢力が付与される。この初期付勢力が副巻取り軸１４ｂに付与された状態で、巻取り装置の保持具３は、巻取り装置１の収納ケース１５に固定ネジ８０を介してネジ止め固定される。
【００６０】
つぎに、巻取り装置１の主巻取り軸１３を支持する際、巻取り装置の保持具３は、収納ケース１５に組み付けられた巻取り装置の保持具３のケーシング２１の主軸支部２６に主巻取り軸１３の一端が回転可能に支持される。一方の巻取り装置の保持具３側に一端が回転可能に支持された主巻取り軸１３は、他端が、他方の巻取り装置の保持具２側の主軸支部２６に係合される。
【００６１】
この状態で、巻取り装置の保持具２は、主巻取り軸１３に主シート体１１を巻き取る方向に、巻取り装置１の収納ケース１５に対して回転されることに伴って、主巻取り軸１３の芯部および筒状体が回転されて、主シート体１１の一端側に設けられた掛止部材が、シート引き出し口１９の開口縁に当接されることにより、主巻取り軸１３に主シート体１１が完全に巻き取られる。
【００６２】
そして、主巻取り軸１３に主シート体１１が完全に巻き取られた状態で、巻取り装置の保持具２は、主シート体１１を巻き取る方向に更に数回転程度だけ回転させることによって、主シート体１１が巻き取られた筒状体の回転が規制された状態で、主巻取り軸１３が更に回転される。このため、主巻取り軸１３は、回転が規制された筒状体に対して主巻取り軸１３の芯部が回転されて、コイルバネが引き伸ばされることで、このコイルバネの付勢力によって、主シート体１１が完全に巻き取られた状態で、主シート１１を巻き取る方向に付勢する初期付勢力が付与される。この初期付勢力が主巻取り軸１３に付与された状態で、巻取り装置の保持具２は、巻取り装置１の収納ケース１５に固定ネジ８０を介してネジ止め固定される。
【００６３】
最後に、巻取り装置１の副巻取り軸１４ａを支持する際、収納ケース１５側の軸支部に一端が回転可能に支持された副巻取り軸１４ａは、他端が、他方の巻取り装置の保持具２側の軸支持部材２２に形成された副軸支部２７の係合溝４２に係合される。
【００６４】
この状態で、軸支持部材２２は、副巻取り軸１４ａに副シート体１２ａを巻き取る方向に、巻取り装置１の収納ケース１５に対して回転されることに伴って、副巻取り軸１４ａの芯部および筒状体が回転されて、副シート体１２ａの一端側に設けられた掛止部材が、シート引き出し口１９の開口縁に当接されることにより、副巻取り軸１４ａに副シート体１２ａが完全に巻き取られる。
【００６５】
そして、副巻取り軸１４ａに副シート体１２ａが完全に巻き取られた状態で、軸支持部材２２は、副シート体１２ａを巻き取る方向に更に数回転程度だけ回転させることによって、副シート体１２ａが巻き取られた筒状体の回転が規制された状態で、副巻取り軸１４ａが更に回転される。このため、副巻取り軸１４ａは、回転が規制された筒状体に対して副巻取り軸１４ａの芯部が回転されて、コイルバネが引き伸ばされることで、このコイルバネの付勢力によって、副シート体１２ａが完全に巻き取られた状態で、副シート１２ａを巻き取る方向に付勢する初期付勢力が付与される。この初期付勢力が副巻取り軸１４ａに付与された状態で、軸支持部材２２は、巻取り装置の保持具２に係合されて固定される。
【００６６】
上述したように、左右一組の巻取り装置の保持具２，３は、巻取り装置１の主巻取り軸１３および副巻取り軸１４がそれぞれ巻取り方向に回転させるように付勢された状態で、巻取り装置１をそれぞれ保持する。
【００６７】
つぎに、巻取り装置の保持具２について、押込み操作釦２８によって一組のスライド部材２３，２４がそれぞれスライド操作される動作について図面を参照して説明する。
【００６８】
巻取り装置の保持具２は、図４に示すように、付勢バネ２５の付勢力によって、各スライド部材２３，２４の係合爪５１が、ケーシング２１の挿通口３６から外方に突出されている。巻取り装置の保持具２は、この状態から押込み操作釦２８が、圧縮コイルバネ６８の付勢力に抗してケーシング２１に対して矢印ｂ2方向に押し込み操作されることにより、押込み操作釦２８の当接部６５に当接された各スライド部材２３，２４の作動片５６が移動される。
【００６９】
各スライド部材２３，２４は、図５に示すように、付勢バネ２５の付勢力に抗して、作動片５６の当接面５９が押込み操作釦２８の当接部６５の当接面６６に沿って摺動されて、矢印ａ2方向にガイド溝３５に沿って移動される。各スライド部材２３，２４は、矢印ａ2方向に移動されることにより、係合爪５１が挿通口３６からケーシング２１の内方に移動される。
【００７０】
また、巻取り装置の保持具２は、押込み操作釦２８を押し込む操作力を解除することで、圧縮コイルバネ６８の付勢力によって押込み操作釦２８が矢印ｂ1方向に移動されて初期位置に復帰されるとともに、付勢バネ２５の付勢力によって各スライド部材２３，２４が矢印ａ1方向にガイド溝３５に沿って移動されて、係合爪５１が挿通口３６からケーシング２１の外方に突出される。
【００７１】
そして、ガイド溝３５に沿って移動される各スライド部材２３，２４は、ケーシング２１および各スライド部材２３，２４に成形上の寸法誤差が生じた場合であっても、ケーシング２１のガイド溝３５、ガイド凹部５８および底面部の内周面にそれぞれ摺接されて案内されるとともに、各スライド部材２３，２４の間に間隙が確保されているため、各スライド部材２３，２４がガイド溝３５に沿って移動するときに微少量だけ遊動することが可能とされる。このため、各スライド部材２３，２４は、例えば、ガイド突起５２とガイド溝３５との「はめあい」による摺動抵抗が生じることが抑制されるため、押込み操作釦２８によって円滑にスライド操作することができる。
【００７２】
最後に、巻取り装置１を保持する巻取り装置の保持具２が取り付け部４に着脱可能に取り付けられる状態を図面を参照して説明する。
【００７３】
図６に示すように、巻取り装置の保持具２は、取り付け部４に対してケーシング２１を矢印ｂ2方向に移動することにより、挿通口３６から外方に突出された各スライド部材２３，２４の係合爪５１の傾斜面が、取り付け部４の側面４ａに摺接されて、この側面４ａによって係合爪５１がケーシング２１の内方に移動される。巻取り装置の保持具２は、ケーシング２１が更に矢印ｂ2方向に移動されて、ケーシング２１の底面部が取り付け部４の底面部に載置されたとき、作動突部７８に浮揚部材２９が当接されて、圧縮コイルバネ７１の付勢力に抗して浮揚部材２９がケーシング２１に対して矢印ｂ1方向に移動された状態で、各スライド部材２３，２４の係合爪５１が係合凹部７７内に係合されて取り付けられる。
【００７４】
また、巻取り装置の保持具２は、取り付け部４から取り外されるとき、浮揚部材２９が圧縮コイルバネ７１の付勢力によって初期位置に復帰するように矢印ｂ2方向に移動されるため、この反作用として、ケーシング２１が取り付け部４に対して矢印ｂ1方向に浮揚される。したがって、巻取り装置の保持具２は、押込み操作釦２８によって各スライド部材２３，２４の係合爪５１と係合凹部７７との係合状態を解除することによって、取り付け部４から容易かつ確実に取り外すことができる。
【００７５】
上述したように、巻取り装置の保持具２，３は、互いに所定の間隔をあけて独立的にスライド動作することが可能に設けられた一組のスライド部材２３，２４を備えることによって、ケーシング２１のガイド溝３５等や各スライド部材２３，２４のガイド突起５２等の外形寸法に寸法誤差が生じた際も、円滑にスライド操作することができる。
【００７６】
また、巻取り装置の保持具２，３は、従来のスライド部材に比較して小型化された一組のスライド部材２３，２４に分割されて備えることによって、各スライド部材２３，２４をスライド操作するために要する操作力が低減されて、容易にスライド動作することができる。このため、この巻取り装置の保持具２，３によれば、押込み操作釦２８によって、各スライド部材２３，２４を容易かつ確実にスライド動作されて、取り付け部４に対する着脱する操作性を向上することができる。
【００７７】
また、巻取り装置の保持具２，３は、副巻取り軸１４ａ，１４ｂを支持する副軸支部２７を有する軸支部材２２が、ケーシング２１に着脱可能に設けられたことにより、主巻取り軸１３および副巻取り軸１４ａ，１４ｂを互いに異なる巻取り方向に付勢させた状態でそれぞれ支持することができる。
【００７８】
また、巻取り装置の保持具２，３によれば、浮揚部材２９を備えることによって、押込み操作釦２８を押込み操作することによって、各スライド部材２３，２４と取り付け部４との係合状態が容易に解除されるとともに、浮揚部材２９による付勢力によって取り付け部４から容易かつ確実に取り外すことが可能とされる。
【００７９】
また、巻取り装置の保持具２，３は、弾性を有する１本の鋼線材からなる付勢バネ２５によって各スライド部材２３，２４がそれぞれ付勢されるため、製造コストの低減を図ることができる。ところで、図７に示したような従来の巻取り装置の保持具は、スライド部材１０６の一端側のみが付勢される構成であるため、スライド部材１０６が傾斜し易く、スライド部材１０６を操作する際の摺動抵抗が大きくなるという問題もあった。これに対して、巻取り装置の保持具２，３によれば、付勢バネ２５によって、各スライド部材２３，２４をほぼ均一に付勢することが可能とされるため、各スライド部材２３，２４を操作する際の摺動抵抗を抑制することができる。
【００８０】
さらに、この巻取り装置の保持具２，３によれば、付勢バネ２５が弾性を有する１本の鋼線材によって形成されることにより、ケーシング２１内の主軸支部２６および副軸支部２７等から退避させた位置に付勢バネ２５を容易に配設することが可能とされるため、ケーシング２１内の各構成部材のレイアウト等を設計する自由度が向上されるとともに装置全体の小型化を図ることができる。
【００８１】
なお、上述した実施形態の巻取り装置の保持具２，３が備える付勢バネ２５は、各スライド部材２３，２４に両端がそれぞれ掛止されて、折曲部６１がケーシング２１の係合溝３５に係合される構成とされたが、図示しないが、両端がケーシング２１側にそれぞれ掛止されて、折曲部６１が各スライド部材２３，２４にそれぞれ係合される構成とされてもよい。
【００８２】
また、上述した実施形態の巻取り装置の保持具２，３は、各スライド部材２３，２４が、ケーシング２１に対して、車輌の室内の幅方向である矢印ａ1方向およびａ2方向に移動可能に設けられる構成とされたが、例えば、矢印ａ1方向およびａ2方向に直交する方向である車輌の室内の前後方向に移動可能に設けられる構成とされてもよい。
【００８３】
また、上述した実施形態の巻取り装置の保持具２，３は、スライド部材２３，２４をスライド操作するための押込み操作釦２８を備え、この押込み操作釦２８によって作動される作動片５６が各スライド部材２３，２４に形成される構成とされたが、例えば、一方の巻取り装置の保持具３のみが押込み操作釦２８を備える構成とされてもよい。他方の巻取り装置の保持具２が押込み操作釦２８を備えないことによって、巻取り装置の保持具２の構成の簡素化が図られるため、更に製造コストを低減することが可能とされる。
【００８４】
【発明の効果】
上述したように本発明に係る巻取り装置の保持具によれば、一組のスライド部材が互いに間隔をあけてケーシングに設けられたことによって、スライド部材やケーシングに寸法誤差が生じた場合であっても、ケーシングに対して各スライド部材を円滑に移動させることを可能とし、スライド部材の操作性の向上を図ることができる。また、この巻取り装置の保持具によれば、スライド部材を他の巻取り装置の保持具で利用することが可能とされて、構成部品の共通化が図られるため、生産性を向上することができる。
【００８６】
また、本発明に係る巻取り装置の保持具によれば、ケーシングの開口部内に、巻取り装置側の他の巻取り軸の一端を支持する他の軸支部が設けられることによって、２本の巻取り軸を互いに逆方向に回転させるように巻取り装置側によって付勢させて、それぞれ支持することが可能とされる。
【図面の簡単な説明】
【図１】本発明に係る巻取り装置の保持具が巻取り装置を保持している状態を示す斜視図である。
【図２】前記巻取り装置の保持具を示す斜視図である。
【図３】前記巻取り装置の保持具を示す分解斜視図である。
【図４】スライド部材および押込み操作部材の説明するために示す模式図である。
【図５】押込み操作部材によってスライド部材が移動された状態を示す模式図である。
【図６】前記巻取り装置の保持具が取り付け部に取り付けられた状態を示す模式図である。
【図７】従来の巻取り装置の保持具を説明するために示す斜視図である。
【符号の説明】
１  巻取り装置の保持具
１１  主シート体
１２  副シート体
１３ａ，１３ｂ  主巻取り軸
１４ａ，１４ｂ  副巻取り軸
２１  ケーシング
２２  軸支部材
２３，２４  スライド部材
２５  付勢バネ
２６  主軸支部
２７  副軸支部
２８  押込み操作釦
２９  浮揚部材
３６  挿通口
５１  係合爪
【図１】
0003798669.tif 000002
【図２】
0003798669.tif 000003
【図３】
0003798669.tif 000004
【図４】
0003798669.tif 000005
【図５】
0003798669.tif 000006
【図６】
0003798669.tif 000007
【図７】
0003798669.tif 000008